(57)【要約】【課題】センサブロックの脱着に伴う照明器具の外観の変化を小さくすることで意匠性の向上を図ると共に、リモコン通信の確実性を確保する。【解決手段】照明器具１は、器具筐体２と、リモコン通信部３と、脱着自在に取り付けられるセンサブロック４と、センサ取付部５と、を備える。センサブロック４が取り付けられていない状態では、センサ取付部５の表面とリモコン通信部３の表面とが略面一状に形成されており、センサブロック４が取り付けられている状態では、センサブロック４はリモコン通信部３の表面に重なるように取り付けられ、センサブロック４には導通部６が設けられている。リモコン通信部３はセンサ取付部５の表面から突出していないので、センサブロック４の脱着に伴う照明器具１の外観の変化が少なくなり、意匠性が向上し、また、リモコン信号は導通部６を経由して伝達されるため、リモコン通信の確実性が向上する。【選択図】図１
2010033816.tif 000002
【特許請求の範囲】
【請求項１】
器具筐体と、
リモコン端末から送信されるリモコン信号を受信するリモコン通信部と、
前記器具筐体から露出して脱着自在に取り付けられるセンサブロックと、
前記器具筐体に設けられ、前記センサブロックを取り付けるためのコネクタ部を有するセンサ取付部と、を備えたセンサ脱着式照明器具において、
前記センサブロックが前記センサ取付部に取り付けられていない状態では、該センサ取付部の表面と前記リモコン通信部の表面とが略面一状に形成されており、
前記センサブロックが前記センサ取付部に取り付けられている状態では、該センサブロックは前記リモコン通信部の表面に重なるように取り付けられ、該リモコン通信部の表面と重なるセンサブロックにはリモコン信号を伝達するための導通部が設けられていることを特徴とするセンサ脱着式照明器具。
【請求項２】
前記導通部は、導光体から成ることを特徴とする請求項１に記載のセンサ脱着式照明器具。
【請求項３】
前記センサブロックは、前記センサ取付部に取り付けられたときに該センサ取付部に設けられたリモコン通信部及び前記導通部に代わってリモコン信号を受信するリモコン通信部を有したことを特徴とする請求項１に記載のセンサ脱着式照明器具。
【発明の詳細な説明】
【技術分野】
【０００１】
本発明は、センサ検知により照明ランプを点灯制御することによって省エネルギーを図った照明器具において、特に、センサを照明器具から分離、付替え可能な構造である照明器具に関する。
【背景技術】
【０００２】
従来のセンサ付照明器具は、照明器具にセンサが内蔵される構造となっており、センサ制御によって無駄な照明電力の削減が可能である。このセンサとしては、例えば、人を検知したときに照明器具が点灯し、人が検知されなかったときに消灯する制御を行うための人検知センサや、周囲が暗くなったときに照明器具の調光率を上げ、周囲が明るくなったときに調光率を下げる制御を行うための明るさセンサがある。しかしながら、例えば、センサの無い一般の照明器具が設置されている執務空間の一部をレイアウトの変更によって通路とする場合に、センサ制御によって人の通過時にのみ照明器具を点灯するようにしたいときは、既に設置されている一般の照明器具を本体ごとセンサ付照明器具に交換する必要があり無駄を生じていた。
【０００３】
そこで、センサ制御機能などを有する機能プラグと、この機能プラグを挿抜できる取付部とを備え、用途に応じて機能プラグを差し替えることのできる照明器具が知られている（例えば、特許文献１参照）。この照明器具であれば、上記のようなレイアウト変更によってセンサ制御機能を照明器具に持たせたい場合に、照明器具にセンサ制御機能を有するセンサブロックをセンサ取付部に取り付けるだけでよく、照明器具本体を交換する必要がない。
【０００４】
この種の照明器具を図１２（ａ）（ｂ）に示し、この照明器具のセンサブロックとセンサ取付部の構成を図１３（ａ）（ｂ）及び図１４に示す。照明器具２０は、照明ランプ２１と、点灯制御するためのセンサブロック２２と、センサブロック２２を器具筐体２３に脱着自在に取り付けるためのセンサ取付部２４とを備え、センサ取付部２４は、リモコン信号を受信するためのリモコン通信部２５と、センサブロック２２の保持や給電のためのコネクタ部２６とを有する。
【０００５】
センサ制御が必要なときは、図１２（ａ）及び図１３（ａ）（ｂ）に示されるように、センサブロック２２はセンサ取付部２４に取り付けられる。センサ制御が不要なときは、図１２（ｂ）及び図１４に示されるように、センサブロック２２はセンサ取付部２４から取り外される。センサブロック２２が取り付けられたとき、リモコン通信部２５は、センサブロック２２の表面より凹んでいると、センサブロック２２の側面が壁となりリモコン信号の検知エリアが狭まる。そのため、リモコン通信部２５は、センサブロック２２の影とならないように、センサブロック２２の表面と同一高さ位置に設けられ、センサ取付部２４の表面から突出した形状となっている。それゆえ、センサブロック２２の脱着によって照明器具２０の外観が大きく変化し、意匠上好ましくない。
【０００６】
また、センサ制御するためのセンシング機能としては主に人検知や明るさ計測がある。人検知デバイスは、熱線の移動を検出する手段や超音波の反射により移動物体を検出する手段などが用いられ、明るさ計測デバイスは、受光デバイスで被照射面からの反射光を計測する手段などが用いられる。いずれのデバイスも検知エリアを考慮すると光学設計に依存する空間が必要となることから、センサブロック２２は一定の厚みを持つ形状となる。このため、上記センサの脱着による器具外観の変化を小さくすることは難しい。
【特許文献１】特開２００２−１１０３７６号公報
【発明の開示】
【発明が解決しようとする課題】
【０００７】
本発明は、上記問題を解決するためになされたものであり、センサブロックをセンサ取付部から取り外した状態と、センサ取付部に取り付けた状態との照明器具の外観の変化を小さくすることで意匠性の向上を図ると共に、リモコン通信の確実性を確保することができるセンサ脱着式照明器具を提供することを目的とする。
【課題を解決するための手段】
【０００８】
上記目的を達成するために請求項１の発明は、器具筐体と、リモコン端末から送信されるリモコン信号を受信するリモコン通信部と、前記器具筐体から露出して脱着自在に取り付けられるセンサブロックと、前記器具筐体に設けられ、前記センサブロックを取り付けるためのコネクタ部を有するセンサ取付部と、を備えたセンサ脱着式照明器具において、前記センサブロックが前記センサ取付部に取り付けられていない状態では、該センサ取付部の表面と前記リモコン通信部の表面とが略面一状に形成されており、前記センサブロックが前記センサ取付部に取り付けられている状態では、該センサブロックは前記リモコン通信部の表面に重なるように取り付けられ、該リモコン通信部の表面と重なるセンサブロックにはリモコン信号を伝達するための導通部が設けられているものである。
【０００９】
請求項２の発明は、請求項１に記載の照明器具において、前記導通部は、導光体から成るものである。
【００１０】
請求項３の発明は、請求項１に記載の照明器具において、前記センサブロックは、前記センサ取付部に取り付けられたときに該センサ取付部に設けられたリモコン通信部及び前記導通部に代わってリモコン信号を受信するリモコン通信部を有したものである。
【発明の効果】
【００１１】
請求項１の発明によれば、リモコン通信部はセンサ取付部の表面から突出しないので、センサブロックの脱着に伴う照明器具の外観の変化が小さくなるため、意匠性が向上し、また、リモコン信号は導通部を経由してリモコン通信部に伝達されるため、リモコン通信の確実性が向上する。
【００１２】
請求項２の発明によれば、リモコン信号は導光部を経由してリモコン通信部に伝達されるので、リモコン信号が拡散することが減るため、リモコン通信の確実性が向上する。
【００１３】
請求項３の発明によれば、リモコン信号はセンサブロックの表面に設けられたリモコン通信部のみによって受信されるため、リモコン通信の確実性が向上する。
【発明を実施するための最良の形態】
【００１４】
（第１の実施形態）
本発明の第１の実施形態に係るセンサ脱着式照明器具（以下、照明器具という）について図１乃至図５を参照して説明する。図１（ａ）（ｂ）は本実施形態の照明器具１の外観、図２及び図３はセンサブロック４とセンサ取付部５の外観を示す。照明器具１は、照明ランプ２ａを有する器具筐体２と、照明ランプ２ａの点灯状態を変化させるためのリモコン信号を受信するリモコン通信部３と、照明ランプ２ａを点灯制御するためのプラグインセンサであるセンサブロック４と、センサブロック４が脱着自在に取り付けられるための取付台であるセンサ取付部５と、を備える。リモコン信号は、赤外線や電波などであり、ユーザが操作するリモコン端末（図示せず）から送信される。照明ランプ２ａは、例えば、蛍光管、白熱球、ＬＥＤ等である。
【００１５】
照明器具１は、リモコン通信部３で受信したリモコン信号やセンサブロック４からのセンサ信号に基づいて、照明ランプ２ａを点灯制御、例えば、オン・オフ制御、位相制御、パルス幅制御、振幅制御などを行うための点灯制御回路１１（後述の図５）を器具筐体２内に備える。
【００１６】
リモコン通信部３は、センサ取付部５上に設けられ、かつ、照明器具１の略中央に設置される。これにより、他の照明器具に送信されるリモコン信号との干渉を防いでいる。また、リモコン通信部３がセンサ取付部５上へ設置されることにより、リモコン通信部３やセンサ取付部５と点灯制御回路１１（図５）とを繋ぐ配線が複雑となったりコストアップとなることがなくなり、また、器具筐体２に多くの穴を開ける必要がなくなり、作業効率が良くなる。また、これらリモコン通信部３やセンサ取付部５は、分散されるよりも１箇所にまとめた方が意匠上好ましい。
【００１７】
センサブロック４は、センサ取付部５の表面を覆い、かつ、リモコン通信部３の表面と重なるようにしてセンサ取付部５に取り付けられる。また、センサブロック４は、センサ取付部５に取り付けられた状態においてリモコン通信部３の表面と重なっている導通部６を備える。導通部６は、センサブロック４を上下に貫通した筒状の空孔で成る。リモコン信号は、この導通部６を経由してリモコン通信部３に伝達される。
【００１８】
また、センサブロック４は、熱線センサなどで人間の存在を検知するための人感検知部７と、光を電流に変える素子であるフォトダイオードを用いて明るさを計測する明るさ検知部８と、センサ取付部５と電気的に相互接続するためのコネクタ部９と、を備える。導通部６の開口と人感検知部７と明るさ検知部８は、センサブロック４の表面の同一高さ位置に設けられる。
【００１９】
センサ取付部５は、センサ取付部５の表面の同一高さ位置にリモコン通信部３と、センサブロック４のコネクタ部９と電気的に相互接続されるためのコネクタ部１０と、を備え、器具筐体２に保持される。そのため、センサ取付部５の表面とリモコン通信部３の表面とは、略面一状に形成されている。また、センサブロック４及びセンサ取付部５は、センサ取付部５に取り付けられたセンサブロック４を保持するための保持構造を備える。保持構造として、例えば、互いに脱着自在に係合する部材をセンサブロック４及びセンサ取付部５に設けた構造や、互いに磁気結合する永久磁石と鉄片などを備えた構造を用いればよい。また、コネクタ部９、１０が、センサブロック４をセンサ取付部５に保持する保持構造を兼ねてもよい。
【００２０】
コネクタ部９、１０は、器具筐体２からセンサ取付部５を介してセンサブロック４へ給電するための電源端子や、センサブロック４からセンサ取付部５を介して器具筐体２内の点灯制御回路１１（図５）にセンサ信号を送信するための信号端子などを有する。センサブロック４がセンサ取付部５に取り付けられた状態で、コネクタ部９とコネクタ部１０は電気的に接続される。コネクタ部１０の電源端子は、充電部分であり、その充電部分がセンサ取付部５から突出しないように、コネクタ部１０をメス・コネクタ、コネクタ部９をオス・コネクタとすることが好ましい。
【００２１】
図４はセンサブロック４の側面を示す。センサブロック４の厚みｄが比較的小さい場合は、リモコン信号は、導通部６を通過してリモコン通信部３に受信される。なお、センサブロック４の厚みｄが大きい場合は、リモコン信号は、導通部６内を通過中に反射及び拡散してリモコン通信部３に受信される。
【００２２】
図５は、照明器具１の電気的構成を示す。器具筐体２は、点灯制御回路１１と、点灯制御回路１１から出力された調光信号に応じて点灯電力を照明ランプ２ａへ供給するための点灯回路１２と、他の照明器具とシリアル通信によって連動するための通信部１３と、を備える。通信部１３は、例えば、シリアル信号線、無線通信装置などであり、点灯制御回路１１から出力された調光信号を他の照明器具に送信する。
【００２３】
点灯制御回路１１は、照明ランプ２ａの調光率の決定を行う第１の制御部１１ａと、照明ランプ２ａの調光に必要な情報を記憶するための記憶部１１ｂと、明るさ検知部８の計測値を平均する等の演算をするための演算部１１ｃと、調光率を調光信号に変換し点灯回路１２へ出力するための調光信号出力部１１ｄと、を有する。第１の制御部１１ａは、センサブロック４から送信されたセンサ信号と予め設定された条件とを基にして調光率の決定を行う。記憶部１１ｂは、明るさを常に一定値に保つ制御を行うための明るさ目標値や、人感を検知したときの点灯保持時間などの情報を記憶する。また、連動させたい他の照明器具のアドレスやグループ番号を記憶部１１ｂに記憶させておくことで、少ないセンサブロック４の台数で複数の照明器具１の点灯制御をすることが可能である。
【００２４】
リモコン通信部３は、リモコン端末から送信されたリモコン信号を受信し、このリモコン信号を第１の制御部１１ａへ送信する。センサブロック４は、人感検知部７と、明るさ検知部８と、これら検知部から送信された人感検知の有無や明るさ計測値などに関するセンサ信号を第１の制御部１１ａへ送るための信号に変換する第２の制御部１４と、を備える。第２の制御部１４によって変換された信号は、センサ取付部５を介して器具筐体２の第１の制御部１１ａへ送信される。
【００２５】
第１の制御部１１ａは、センサブロック４から送信されるセンサ信号を受信することによって、センサブロック４がセンサ取付部５に取り付けられていることを把握する。また、第１の制御部１１ａは、例えば、設定された一定の時間内にセンサ信号を受信しないことによって、センサブロック４がセンサ取付部５から取り外されていることを把握する。なお、センサブロック４が自身のセンサ情報を常に送信することによって、第１の制御部１１ａは、センサ情報を受信しているときはセンサブロック４が取り付けられていることを把握し、センサ情報を一定時間内に受信しないときはセンサブロック４が取り外されていることを把握してもよい。
【００２６】
上記のように構成された照明器具１の動作を説明する。図２及び図３に示されるように、照明器具１をセンサ制御したいとき、センサブロック４は、導通部６がリモコン通信部３の表面と重なって配置され、コネクタ部１０とコネクタ部９が接続されることでセンサ取付部５に取り付けられた状態となる。この状態では、リモコン通信部３は露出していない。また、センサブロック４がセンサ取付部５から取り外された状態では、センサ取付部５の表面とリモコン通信部３の表面とが略面一状であり、リモコン通信部３はセンサ取付部５の表面から突出しない。こうして、センサブロック４の脱着に伴う照明器具１の外観の変化は小さくなるので、意匠性が向上する。
【００２７】
センサブロック４がセンサ取付部５に取り付けられた状態において、ユーザが操作するリモコン端末から送信されたリモコン信号は、センサブロック４の表面にある導通部６の開口から入り、導通部６内を通過してリモコン通信部３に受信される。そのため、リモコン信号は阻害されることなくリモコン通信部３に伝達され、リモコン通信の確実性が向上する。
【００２８】
（第２の実施形態）
本発明の第２の実施形態に係る照明器具について図６乃至図８を参照して説明する。本実施形態においては、センサブロック４の導通部６の構成が第１の実施形態と異なり、導通部６の空孔内に光ファイバ等の光学部材である導光体６ａが充填されている。
【００２９】
図６及び図７は、本実施形態の照明器具１のセンサブロック４とセンサ取付部５の外観を、図８はセンサブロック４の側面を示す。センサブロック４の導通部６は、導光体６ａが充填されることで導光路としている。
【００３０】
本実施形態においては、赤外線などの光を用いた通信に係るリモコン信号は、センサブロック４の厚みｄに関係なく、導光体６ａ中を全反射しながら導光路である導通部６を経由してリモコン通信部３に受信される。そのため、導通部６内を通過中にリモコン信号が拡散することが減り、リモコン通信の確実性が向上する。特に、リモコン信号が赤外線のとき、リモコン通信の確実性がより向上する。
【００３１】
（第３の実施形態）
本発明の第３の実施形態に係る照明器具について図９乃至図１１を参照して説明する。本実施形態においては、センサブロック４が、上述の第１及び第２の実施形態の導通部６に代えて、新たにリモコン通信部１５を備えたものとしている。
【００３２】
図９（ａ）（ｂ）及び図１０は、本実施形態の照明器具１のセンサブロック４とセンサ取付部５の外観を示す。センサブロック４は、導通部６に代えてリモコン通信部１５を備える。リモコン通信部１５と人感検知部７と明るさ検知部８は、センサブロック４の表面の同一高さ位置に設けられる。リモコン通信部１５は、センサブロック４が取り付けられたとき、センサ取付部５に設けられたリモコン通信部３に代わってリモコン信号を受信する。そのため、リモコン通信部１５は、上述の導通部６のようにリモコン通信部３と対向する位置に設けられる必要がない。
【００３３】
図１１は、照明器具１の電気的構成を示す。センサブロック４は、リモコン通信部１５と、人感検知部７と、明るさ検知部８と、これらから送信されたリモコン信号及びセンサ信号を第１の制御部１１ａへ送るための信号に変換するための第２の制御部１４と、を備える。第２の制御部１４によって変換された信号は、センサ取付部５を介して器具筐体２の第１の制御部１１ａへ送信される。
【００３４】
第１の制御部１１ａは、上述したようにセンサブロック４が取り付けられているか否かの判断を行い、センサブロック４が取り付けられていると判断したときは、センサブロック４に取り付けられたリモコン通信部１５にリモコン信号を受信させる。また、第１の制御部１１ａは、センサブロック４が取り外されていると判断したときは、センサ取付部５に取り付けられたリモコン通信部３にリモコン信号を受信させる。この第１の制御部１１ａは、センサブロック４が取り付けられたとき、センサ取付部５のリモコン通信部３を監視する必要がないので、リモコン通信部３によりノイズ等の誤まった信号を受信することがなくなる。
【００３５】
本実施形態においては、図９（ａ）（ｂ）に示されるように、センサブロック４が取り付けられた状態では、センサブロック４がリモコン通信部３を覆うようにしてセンサ取付部５に取り付けられるので、リモコン通信部３は露出していない。図１０に示されるように、センサブロック４が取り外された状態では、センサ取付部５の表面とリモコン通信部３の表面とが略面一状であり、リモコン通信部３はセンサ取付部５の表面から突出しない。そのため、照明器具１の外観の変化が小さくなるので、意匠性が向上する。また、リモコン信号はセンサブロック４の表面に設けられるリモコン通信部１５によって受信されるため、リモコン通信の確実性が向上する。
【００３６】
なお、本発明は、上記の実施形態の構成に限られず、発明の要旨を変更しない範囲で種々の変形が可能である。例えば、センサ取付部に設けられたリモコン通信部が、照明器具に脱着自在に取り付けられる構造のものであっても構わない。
【図面の簡単な説明】
【００３７】
【図１】（ａ）は本発明の第１の実施形態に係るセンサ脱着式照明器具にセンサブロックが取り付けられている状態の外観図、（ｂ）は同器具からセンサブロックが取り外されている状態を示す外観図。
【図２】同器具のセンサブロックとセンサ取付部を取り付けた状態の外観図。
【図３】同器具のセンサブロックとセンサ取付部を取り外した状態の外観図。
【図４】同器具のセンサブロックの側面図。
【図５】同器具の電気的構成を示すブロック図。
【図６】本発明の第２の実施形態に係る同器具のセンサブロックとセンサ取付部を取り付けた状態の外観図。
【図７】同器具のセンサブロックとセンサ取付部を取り外した状態の外観図。
【図８】同器具のセンサブロックの側面図。
【図９】（ａ）は本発明の第３の実施形態に係る同器具のセンサブロックとセンサ取付部を取り付けた状態の外観図、（ｂ）は同状態の側面図。
【図１０】同器具のセンサブロックとセンサ取付部を取り外した状態の外観図。
【図１１】同器具の電気的構成を示すブロック図。
【図１２】（ａ）は従来の照明器具にセンサブロックを取り付けた状態を示す外観図、（ｂ）は同器具からセンサブロックを取り外した状態を示す外観図。
【図１３】（ａ）は同器具のセンサブロックとセンサ取付部を取り付けた状態の外観図、（ｂ）は同状態の側面図。
【図１４】同器具のセンサブロックとセンサ取付部を取り外した状態の外観図。
【符号の説明】
【００３８】
１  照明器具
２  器具筐体
３  リモコン通信部
４  センサブロック
５  センサ取付部
６  導通部
６ａ  導光体
１０  センサ取付部のコネクタ部
１５  リモコン通信部
【図１】
2010033816.tif 000003
【図２】
2010033816.tif 000004
【図３】
2010033816.tif 000005
【図４】
2010033816.tif 000006
【図５】
2010033816.tif 000007
【図６】
2010033816.tif 000008
【図７】
2010033816.tif 000009
【図８】
2010033816.tif 000010
【図９】
2010033816.tif 000011
【図１０】
2010033816.tif 000012
【図１１】
2010033816.tif 000013
【図１２】
2010033816.tif 000014
【図１３】
2010033816.tif 000015
【図１４】
2010033816.tif 000016